(57)【特許請求の範囲】
【請求項１】
乗りかごの昇降を案内するガイドレールと、
前記ガイドレールにそれぞれ固定されたかご固定板およびかご位置検出板と、
前記かご固定板の係合部に係合して前記乗りかごを昇降不能にロックする、前記乗りかごに支持されたロック機構と、
前記かご位置検出板の被検出部を検出することにより前記乗りかごの位置を検出する、前記乗りかごに支持されたかご位置検出装置と、を備え、
前記かご位置検出板が、
前記かご固定板に対して上下方向に隣接配置された支持部と、
前記かご固定板と前記乗りかごとの間の隙間内で前記係合部に対して前後方向に位置をずらして隣接配置される、前記支持部に連設された被検出部と、
を有することを特徴とするエレベータ。
【請求項２】
前記係合部は、前記かご固定板に貫設された係合孔であり、
前記ロック機構は、前記かご固定板に向かって突出して前記係合孔内に挿通するロック棒を有しており、
前記かご位置検出装置は、前記ロック棒に対して上下方向に位置をずらしつつ前記かご固定板と前記乗りかごとの間の隙間内に配設される、
ことを特徴とする請求項１に記載したエレベータ。
【発明の詳細な説明】
【技術分野】
【０００１】
本発明は、ガイドレールに固定されるかご固定板およびかご位置検出板を備えるエレベータに関し、より詳しくは、かご位置検出装置およびロック機構の作動を妨げることなく、かご固定板とかご位置検出板を接近させて配置可能な構成のエレベータに関する。
【背景技術】
【０００２】
従来、建物内の空間を効率良く利用するとともに日照権等の問題を回避するために、昇降路の上方に機械室を持たない、いわゆるマシンルームレスエレベータが種々開発され提案されている。
【０００３】
例えば、図３に示したマシンルームレスエレベータ（下記特許文献１を参照）においては、乗りかご１は左右一対のかご側ガイドレール２Ｌ，２Ｒに案内されつつ昇降路内を昇降する。
乗りかご１の前面に設けられた左右一対のドア３Ｌ，３Ｒは、左右方向に開閉する。
乗りかご１を支持するかご枠は、乗りかご１の上方で左右方向に水平に延びる上梁４と、この上梁４の左右両端部に接続された左右一対の縦梁５Ｌ，５Ｒとを有している。
また、乗りかご１の上面と上梁４との間の上下方向の隙間には、上梁４に対して水平面内で傾斜して延びるシーブ支持梁６が設けられている。
このシーブ支持梁６は、その長手方向中央部の上面が上梁４の長手方向中央部の下面に密着するように上梁４に接続されている。
そして、シーブ支持梁６の両端部の上面に固定されたブラケット７Ｌ，７Ｒによって、左右一対のかご上シーブ８Ｌ，８Ｒそれぞれ回転自在に支持されている。
【０００４】
左側のかご側ガイドレール２Ｌの上端部近傍に配設されたトラクションシーブ９は、前後方向に延びる回転軸を有した駆動装置１０によって回転駆動される。
トラクションシーブ９に巻き付けられた巻き上げロープ１１のうち乗りかご１側に延びる部分１１ａは、トラクションシーブ９から左側のかご上シーブ８Ｌに向かって下方に延びる部分、左右一対のかご上シーブ８Ｌ，８Ｒの間で水平に延びる部分、右側のかご上シーブ８Ｒから上方に延びて右側のヒッチ部１２Ｒに固定される部分とを有し、乗りかご１を２：１ローピングで懸架している。
また、巻き上げロープ１１のうち乗りかご１の左側面に沿って下方に延びる部分１１ｂは、図示されない釣合錘の上部に回転自在に支持されている錘側シーブに巻き付けられてから上方に延びて左側のヒッチ部１２Ｌに固定され、釣合錘を２：１ローピングで懸架している。
【０００５】
また、乗りかご１の上部の前方左側にはブラケット１３ａを介してかご位置検出装置１３が支持され、かつ左側のガイドレール２Ｌには支持腕１４ａを介してかご位置検出板１４が固定されている。
そして、乗りかご１の昇降に伴い、かご位置検出装置１３がかご位置検出板１４を検出すると、乗りかご１の昇降方向の位置を示す信号がエレベータの運転制御装置に送信され、着床階の床面と乗りかご１の床面とを一致させる着床制御が行われるようになっている（例えば、下記特許文献２を参照）。
【０００６】
さらに、左側のガイドレール２Ｌにはかご固定板１５が固定され、かつ乗りかご１の上部の左側にはロック棒１６ａを有したロック機構１６が固定されている。
これにより、昇降路の頂部に乗りかご１を上昇させ、ロック棒１６ａをかご固定板１５側に突出させて係合孔１５ａに挿通させると、乗りかご１が昇降不能に固定されるから、駆動装置１０を保守点検する作業者が乗りかご１に乗った状態で安全に作業を進めることができる（例えば、下記特許文献３を参照）。
【０００７】
【特許文献１】特開２００４−１９０４号公報
【特許文献２】特開平２−７５５７８号公報
【特許文献３】特開２０００−２０３７７４号公報
【発明の開示】
【発明が解決しようとする課題】
【０００８】
ところで、近年のマシンルームレスエレベータにおいては、最も上方の着床階の床面と昇降路の天井面との間の上下方向寸法（オーバーヘッド寸法）が小さくなる傾向にある。
これにより、乗りかご１が最も上方の着床階に着床した状態と、駆動装置１０を点検するために昇降路内において乗りかご１が最も上昇した状態とが、上下方向に接近するため、かご位置検出板１４とかご固定板１５とが上下方向に接近することになる。
【０００９】
また、乗りかご１の上部には、左右一対のドア３Ｌ，３Ｒを開閉するためのドア駆動装置や乗りかご１のための空調装置等が配設されているが、オーバーヘッド寸法の減少に合わせてこれらの機器類の上下方向寸法が小さくなり、前後方向および左右方向の寸法が増加する傾向にある。
これにより、乗りかご１の上部における平面スペースが次第に不足し、かご位置検出装置１３とロック機構１６を前後方向に接近させて配置せざるを得ず、かご位置検出板１４とかご固定板１５とが前後方向に接近することになる。
【００１０】
すなわち、近年のマシンルームレスエレベータにおいては、かご位置検出板１４とかご固定板１５とが上下方向および前後方向に互いに接近し、両者の配置およびガイドレール２Ｌに対する固定が次第に困難になってきている。
【００１１】
そこで本発明の目的は、上述した従来技術が有する問題点を解消し、かご位置検出装置およびロック機構の作動を妨げることなく、かご固定板とかご位置検出板を接近させて配置可能な構成のエレベータを提供することにある。
【課題を解決するための手段】
【００１２】
上記の課題を解決するための請求項１に記載した手段は、
乗りかごの昇降を案内するガイドレールと、
前記ガイドレールに固定されたかご固定板およびかご位置検出板と、
前記かご固定板の係合部に係合して前記乗りかごを昇降不能にロックする、前記乗りかごに支持されたロック機構と、
前記かご位置検出板の被検出部を検出することにより前記乗りかごの位置を検出する、前記乗りかごに支持されたかご位置検出装置と、を備えるエレベータであって、
前記かご位置検出板が、
前記かご固定板に対して上下方向に隣接配置された支持部と、
前記かご固定板と前記乗りかごとの間の隙間内で前記係合部に対して前後方向に位置をずらして隣接配置される、前記支持部に連設された被検出部と、
を有することを特徴としている。
【００１３】
すなわち、請求項１に記載したエレベータにおいては、かご位置検出板を支持部と被検出部とに分けて構成する。
そして、かご位置検出板の支持部を、かご固定板に対して上方あるいは下方に配置するので、ガイドレールに対するかご位置検出板の前後上下左右の各方向における位置調整が可能となる。
また、かご位置検出板の被検出部を、かご固定板と乗りかごとの間の隙間内に配置するので、被検出部とかご固定板とが前後上下左右の各方向において干渉することはない。
さらに、かご位置検出板の被検出部を、かご固定板の係合部に対して前後方向に位置をずらして配置するので、かご固定板に係合しているロック機構と被検出部とが干渉することはない。
【００１４】
また、請求項２に記載した手段は、請求項１に記載したエレベータにおいて、
前記係合部は、前記かご固定板に貫設された係合孔であり、
前記ロック機構は、前記かご固定板の側に突出して前記係合孔内に挿通するロック棒を有しており、
前記かご位置検出装置は、前記ロック棒に対して上下方向に位置をずらしつつ前記かご固定板と前記乗りかごとの間の隙間内に配設されることを特徴としている。
【００１５】
すなわち、請求項２に記載したエレベータにおいては、かご位置検出装置とロック棒とが上下方向に位置をずらして配置されるので、両者が互いに干渉することはない。
このとき、ロック棒は他の形式のロック機構に比較して小さい外径寸法に構成できるから、かご位置検出装置とロック機構との上下方向の位置ずれ量を小さく抑えることができ、かご位置検出板とかご固定板を前後上下の両方向において接近させて配置することが可能となる。
【発明の効果】
【００１６】
本発明によれば、かご位置検出装置およびロック機構の作動を妨げることなく、かご固定板とかご位置検出板を接近配置可能な構成のエレベータを提供することができる。
【発明を実施するための最良の形態】
【００１７】
以下、図１および図２を参照し、本発明に係るエレベータの一実施形態について説明する。
なお、以下の説明においては、前述した従来技術と同一の部分には同一の符号を用いて重複した説明を省略するとともに、乗りかごのドアが開閉する方向を左右方向と、乗客が乗りかごに出入りする方向を前後方向と、鉛直方向を上下方向と言う。
【００１８】
本実施形態のエレベータ１００の全体構造は、図３に示した従来のエレベータに対し、かご位置検出板の形状およびかご位置検出装置の支持構造を除いて、ほぼ同一の構造となっている。
そこで、図３に示した従来のエレベータに対して相違する部分について説明する。
【００１９】
図１に示したように、本実施形態のエレベータ１００におけるかご位置検出板２０は、ガイドレール２Ｌの背面にレールクリップ２１およびボルトナットＢを用いて固定される、厚い鋼板から形成された平面視でＬ字形の第１のブラケット２２と、この第１のブラケットの先端にボルトナットＢを用いて固定される、厚い鋼板から形成された平面視でＬ字形の第２のブラケット２３とを有している。
そして、第２のブラケット２３の先端部には、薄い鋼板から形成された検出板本体２４が固定されている。
【００２０】
検出板本体２４は、図１および図２に示したように、かご固定板１５に対して上方に隣接配置された、第２のブラケット２３によって支持された支持部２４ａを有している。
そして、この支持部２４ａには、乗りかご１の側に連設されて、かご固定板１５と乗りかご１との間の隙間内において、上下方向および左右方向に延びる正面視で矩形状の被検出部２４ｂが連設されている。
なお、被検出部２４ｂは、ロック棒１６ａが左方向に突出して挿通し係合する係合孔（係合部）１５ａに対し、前方に位置をずらして隣接配置されている。
【００２１】
また、本実施形態のエレベータ１００におけるかご位置検出装置１３は、図２に示したように、乗りかごに固定された第１のブラケット１３ａと、この第１のブラケット１３ａに固定されて上下方向に延びる第２のブラケット１３ｂとにより、ロック棒１６に対して上下方向に位置をずらしつつ、かご固定板１５と乗りかご１との間の隙間内に支持されている。
これにより、このかご位置検出装置１３は、その凹部１３ｃ内に検出板本体２４の被検出部２４ｂを受け入れて、その有無を検出することができる。
【００２２】
すなわち、本実施形態のエレベータ１００においては、かご位置検出板２０の検出板本体２４が、支持部２４ａと被検出部２４ｂとに分けて構成されている。
そして、検出板本体２４の支持部２４ａは、かご固定板１５に対して上方に配置されているで、第１および第２のブラケット２２，２３の固定位置を調整することにより、ガイドレール２Ｌに対して前後上下左右の各方向にその位置を調整することができる。
【００２３】
また、検出板本体２４の被検出部２４ｂは、かご固定板１５と乗りかご１との間の隙間内に配置されているので、かご固定板１５に対して前後上下左右の各方向において干渉することはない。
さらに、被検出部２４ｂは、かご固定板１５の係合孔１５ａに対して前方に位置をずらして配置されているので、かご固定板１５と係合するロック棒１６ａと干渉することもない。
【００２４】
加えて、かご位置検出装置１３とロック棒１６ａとが上下方向に位置をずらして配置されているので、両者は互いに干渉することはない。
また、ロック棒１６ａは他の形式のロック機構に比較して小さい外径寸法に構成することができるから、かご位置検出装置１３とロック機構１６との上下方向の位置ずれ量を小さく抑えることができ、かご位置検出板２０とかご固定板１５を前後上下の各方向に接近させて配置することができる。
【００２５】
以上、本発明に係るエレベータの一実施形態について説明したが、本発明は上述した実施形態によって限定されることなく、種々の変更が可能であることは言うまでもない。
例えば、上述した実施形態においては、かご位置検出装置１３およびロック機構１６を乗りかご１の上部の前方左側に配置しているが、ガイドレール２Ｌ，２Ｒの近傍におけるその他の位置にも配置することができる。
また、かご位置検出板２０の検出板本体２４における支持部２４ａは、かご固定板１５に対し、下方に隣接させて配置することもできる。
【図面の簡単な説明】
【００２６】
【図１】本発明のエレベータにおけるかご固定板とかご位置検出板を示す斜視図。
【図２】図１に示したかご固定板とかご位置検出板を示す平面図。
【図３】従来のマシンルームレスエレベータを示す斜視図。
【符号の説明】
【００２７】
１  乗りかご
２Ｌ，２Ｒ  かご側ガイドレール
３Ｌ，３Ｒ  ドア
４  上梁
５Ｌ，５Ｒ  縦梁
６  シーブ支持梁
７  ブラケット
８Ｌ，８Ｒ  かご上シーブ
９  トラクションシーブ
１０  駆動装置
１１  巻き上げロープ
１２Ｌ，１２Ｒ  ヒッチ部
１５  かご固定板
１５ａ  係合孔（係合部）
２０  かご位置検出板
２１  レールクリップ
２２  第１のブラケット
２３  第２のブラケット
２４  検出板本体
２４ａ  支持部
２４ｂ  被検出部
１００  一実施形態のエレベータ
【図１】
0004693565.tif 000002
【図２】
0004693565.tif 000003
【図３】
0004693565.tif 000004